(57)【要約】      （修正有）【課題】左右方向に大型化することが抑制されるインクジェット記録装置を提供する。【解決手段】複合機は、左右方向９へ移動するキャリッジ６７と、キャリッジ６７に搭載されており、ノズルからインクを吐出する記録ヘッド６５と、記録ヘッド６５へインクを供給可能に接続されたインクリフィルケース６１と、記録ヘッド６５から排出されたインクを受容するキャップと、キャップとインクが流通可能に接続された可動廃インクタンク１１０とを具備している。インクリフィルケース６１は、前後方向８においてキャリッジ６７と重ならない位置にあり、且つ一部がキャリッジ６７の移動範囲より右方に位置している。可動廃インクタンク１１０は、左右方向９においてインクリフィルケース６１と重なる位置にあり、且つキャリッジ６７の移動範囲より右方に位置する。【選択図】図４
2017177761.tif 000002
【特許請求の範囲】
【請求項１】
第１方向へ移動するキャリッジと、
上記キャリッジに搭載されており、ノズルからインクを吐出する記録ヘッドと、
上記記録ヘッドへインクを供給可能に接続されたインク貯留部と、
上記記録ヘッドから排出されたインクを受容するインク受容部と、
上記インク受容部とインクが流通可能に接続された第１廃液貯留部と、を具備しており、
上記インク貯留部は、上記第１方向と上下方向とに直交する第２方向において上記キャリッジと重ならない位置にあり、且つ少なくとも一部が上記第１方向において上記キャリッジの移動範囲より外方に位置しており、
上記第１廃液貯留部は、上記第１方向において上記インク貯留部と重なる位置にあり、且つ上記キャリッジの移動範囲より外方に位置するインクジェット記録装置。
【請求項２】
上記記録ヘッドの下方に位置して、シートを支持する給送トレイを更に具備しており、
上記第１廃液貯留部は、上下方向において上記給送トレイと重なる位置にあり、且つ、上記第１廃液貯留部の上端は、上記給送トレイの上端より上方に位置する請求項１に記載のインクジェット記録装置。
【請求項３】
筐体を更に具備しており、
上記第１廃液貯留部は、上記筐体に対して着脱可能である請求項１又は２に記載のインクジェット記録装置。
【請求項４】
上記筐体は、上記第１廃液貯留部を上記第１方向と交差する方向へ移動可能に案内するガイド部を有する請求項３に記載のインクジェット記録装置。
【請求項５】
上記インク受容部と上記第１廃液貯留部とにインクが流通可能に接続された第２廃液貯留部を更に具備しており、
上記第２廃液貯留部は、上記第１方向において上記キャリッジの移動範囲と重なる位置にあり、且つ、上記第２方向において上記インク貯留部と上記キャリッジとの間に位置する請求項１から４のいずれかに記載のインクジェット記録装置。
【請求項６】
上記第１廃液貯留部は、インクを保持する第１保持体を有しており、
上記第２廃液貯留部は、インクを保持する第２保持体を有しており、
上記第１保持体と上記第２保持体とは接触している請求項５に記載のインクジェット記録装置。
【請求項７】
上記第１保持体と上記第２保持体とは、上記第１保持体が下に位置し上記第２保持体が上に位置する状態で上下方向に接触している請求項６に記載のインクジェット記録装置。
【請求項８】
上記第２廃液貯留部は、上記筐体に固定されている請求項５から７のいずれかに記載のインクジェット記録装置。  
【請求項９】
上記記録ヘッドと当接可能なワイパを更に具備しており、
上記第１廃液貯留部は、上記ワイパに対して、上記記録ヘッドが上記ワイパと当接して移動する向きの上流に位置する請求項１から８のいずれかに記載のインクジェット記録装置。
【請求項１０】
上記第１廃液貯留部は、インクを保持する保持体と、保持体が収容される貯留筐体と、を有しており、
上記貯留筐体は、上記ワイパが位置する方に配置された開口を有する請求項９に記載のインクジェット記録装置。
【請求項１１】
シートを搬送する搬送方向と直交する第３方向へ延びており、ノズルから当該シートへ向けてインクを吐出する記録ヘッドと、
上記記録ヘッドとインクを供給可能に接続されたインク貯留部と、
上記記録ヘッドから排出されたインクを受容するインク受容部と、
上記インク受容部とインクが流通可能に接続された第１廃液貯留部と、を具備しており、
上記インク貯留部は、上記第３方向と上下方向とに直交する第４方向において上記記録ヘッドと重ならない位置にあり、且つ少なくとも一部が上記第３方向において上記記録ヘッドより外方に位置しており、
上記第１廃液貯留部は、上記第３方向において上記インク貯留部と重なる位置にあり、且つ上記記録ヘッドより外方に位置するインクジェット記録装置。
【発明の詳細な説明】
【技術分野】
【０００１】
本発明は、記録ヘッドから吸引されたインクを貯留する廃液貯留部を備えたインクジェット記録装置に関する。
【背景技術】
【０００２】
記録ヘッドの吐出口からインクを吐出することによってシートに画像を記録するインクジェット記録装置が知られている。このようなインクジェット記録装置において、記録ヘッドの吐出口から異物を除去するために、記録ヘッドの吐出口内の異物をポンプによって吸引し、吸引した異物を廃液タンクに貯留するメンテナンス部を搭載したインクジェット記録装置が知られている（特許文献１）。
【０００３】
特許文献１に記載されている記録装置では、給紙カセットよりキャリッジの移動方向（以下、「左右方向」と称する。）の一方にインクカートリッジを装着するインクカートリッジ装着部が配置され、給紙カセットより左右方向の他方に廃液タンクが配置されている。
【先行技術文献】
【特許文献】
【０００４】
【特許文献１】特開２０１５−１１２８４４号公報
【発明の概要】
【発明が解決しようとする課題】
【０００５】
大容量のインクカートリッジや大容量のインクタンクを使用するユーザは、インクジェット記録装置を頻繁に使用すると考えられる。インクジェット記録装置を頻繁に使用した場合、メンテナンスの回数が多くなり、廃液タンクに貯留されるインクの量も多くなる。そのため、インクカートリッジなどのインク貯留部の容量が大きいインクジェット記録装置では、インク貯留部の大きさに合わせて廃液貯留部も大きくする必要がある。しかしながら、インクジェット記録装置の内部には色々な部品が配置されている。そのため、インクジェット記録装置の大型化を抑制するためには、他の部品と干渉しない位置にスペース効率よくインク貯留部が配置される必要がある。
【０００６】
特許文献１に記載の構成において、他の部品との干渉を防ぐため、他の部品が存在しない左右方向の外方へインクカートリッジ装着部を大きくした場合、これに伴って廃液タンクも左右方向の外方へ大きくすることとなる。よって、インクカートリッジ装着部による大型化に加えて、廃液タンクによってもインクジェット記録装置が更に大きくなる。
【０００７】
本発明は、上記の事情に鑑みてなされたものであり、その目的は、左右方向に大型化することが抑制されるインクジェット記録装置を提供することにある。
【課題を解決するための手段】
【０００８】
(1)  本発明に係るインクジェット記録装置は、第１方向へ移動するキャリッジと、上記キャリッジに搭載されており、ノズルからインクを吐出する記録ヘッドと、上記記録ヘッドへインクを供給可能に接続されたインク貯留部と、上記記録ヘッドから排出されたインクを受容するインク受容部と、上記インク受容部とインクが流通可能に接続された第１廃液貯留部と、を具備している。上記インク貯留部は、上記第１方向と上下方向とに直交する第２方向において上記キャリッジと重ならない位置にあり、且つ少なくとも一部が上記第１方向において上記キャリッジの移動範囲より外方に位置している。上記第１廃液貯留部は、上記第１方向において上記インク貯留部と重なる位置にあり、且つ上記キャリッジの移動範囲より外方に位置する。
【０００９】
上記構成によれば、インク貯留部があることによって上記第１方向における装置の大型化に影響しない位置に、第１廃液貯留部が配置される。そのため、第１廃液貯留部が他の部品と干渉することなく、スペース効率よく配置される。その結果、装置が上記第１方向に大型化することが抑制される。
【００１０】
(2)  好ましくは、上記インクジェット記録装置は、上記記録ヘッドの下方に位置して、シートを支持する給送トレイを更に具備している。上記第１廃液貯留部は、上下方向において上記給送トレイと重なる位置にあり、且つ、上記第１廃液貯留部の上端は、上記給送トレイの上端より上方に位置する。
【００１１】
上記構成によれば、第１廃液貯留部の高さが給送トレイの上端より上まであるので、第１廃液貯留部により多くの廃液が貯留される。
【００１２】
(3)  好ましくは、上記インクジェット記録装置は、筐体を更に具備しており、上記第１廃液貯留部は、上記筐体に対して着脱可能である。
【００１３】
上記構成によれば、第１廃液貯留部を交換することが可能となる。また、第１廃液貯留部は、着脱に際して他の部品と干渉しない着脱しやすい位置にスペース効率よく配置される。
【００１４】
(4)  好ましくは、上記筐体は、上記第１廃液貯留部を上記第１方向と交差する方向へ移動可能に案内するガイド部を有する。
【００１５】
上記構成によれば、障害物を避けて第１廃液貯留部が容易に移動される。
【００１６】
(5)  好ましくは、インクジェット記録装置は、上記インク受容部と上記第１廃液貯留部とにインクが流通可能に接続された第２廃液貯留部を更に具備しており、上記第２廃液貯留部は、上記第１方向において上記キャリッジの移動範囲と重なる位置にあり、且つ、上記第２方向において上記インク貯留部と上記キャリッジとの間に位置する。
【００１７】
上記構成によれば、第１廃液貯留部に加えて第２廃液貯留部を備えるので、より多くの廃液が貯留される。
【００１８】
(6)  好ましくは、上記第１廃液貯留部は、インクを保持する第１保持体を有しており、上記第２廃液貯留部は、インクを保持する第２保持体を有しており上記第１保持体と上記第２保持体とは接触している。
【００１９】
上記構成によれば、第２廃液貯留部において第２保持体に保持されたインクは、第１保持体と第２保持体との接触部分を通じて第２保持体から第１保持体へ移動する。また、インクがより確実に第２廃液貯留部から第１廃液貯留部へ移動する。
【００２０】
(7)  好ましくは、上記第１保持体と上記第２保持体とは、上記第１保持体が下方に位置し上記第２保持体が上方に位置する状態で上下方向に接触している。
【００２１】
上記構成によれば、第２保持体から第１保持体へインクが容易に移動する。
【００２２】
(8)  好ましくは、上記第２廃液貯留部は、上記筐体に固定されている。
【００２３】
上記構成によれば、インク受容部が第２廃液貯留部に接続されるので、第１廃液貯留部の構成が簡単化される。
【００２４】
(9)  好ましくは、インクジェット記録装置は、上記記録ヘッドと当接可能なワイパを更に具備しており、上記第１廃液貯留部は、上記ワイパに対して、上記記録ヘッドが上記ワイパと当接して移動する向きの上流に位置する。
【００２５】
上記構成によれば、記録ヘッド表面に残ったインクがワイパによってワイピングされた後にワイパから飛散する。ワイパからインクが飛散したときに、第１廃液貯留部が飛散したインクを受ける。
【００２６】
(10)  好ましくは、上記第１廃液貯留部は、インクを保持する保持体と、保持体が収容される貯留筐体を有しており、上記貯留筐体は、上記ワイパが位置する方に配置された開口を有する。
【００２７】
上記構成によれば、ワイパから飛散したインクが第１保持体によって保持される。
【００２８】
(11)  本発明に係るインクジェット記録装置は、シートを搬送する搬送方向と直交する第３方向へ延びており、ノズルから当該シートへ向けてインクを吐出する記録ヘッドと、上記記録ヘッドとインクを供給可能に接続されたインク貯留部と、上記記録ヘッドから排出されたインクを受容するインク受容部と、上記インク受容部とインクが流通可能に接続された第１廃液貯留部と、を具備している。上記インク貯留部は、上記第３方向と上下方向とに直交する第４方向において上記記録ヘッドと重ならない位置にあり、且つ少なくとも一部が上記第３方向において上記記録ヘッドより外方に位置している。上記第１廃液貯留部は、上記第３方向において上記インク貯留部と重なる位置にあり、且つ上記記録ヘッドより外方に位置する。
【発明の効果】
【００２９】
本発明によれば、左右方向における大型化に影響しない位置に第１廃液貯留部が配置されるので、装置が左右方向に大型化することが抑制される。
【図面の簡単な説明】
【００３０】
【図１】図１は、複合機１０の斜視図である。
【図２】図２は、プリンタ部１４の内部構成を示す模式図である。
【図３】図３は、メンテナンス機構７０の構成を示す模式図である。
【図４】図４は、プリンタ部１４の内部構成を示す斜視図であり、キャリッジ６７がメンテナンス位置に位置し、可動廃インクタンク１１０が装着位置に位置する状態を示す。
【図５】図５は、プリンタ部１４の内部構成を示す平面図であり、キャリッジ６７がメンテナンス位置に位置し、可動廃インクタンク１１０が装着位置に位置する状態を示す。
【図６】図６は、プリンタ部１４の内部構成を示す平面図であり、キャリッジ６７が左右方向９の中央に位置し、可動廃インクタンク１１０が非装着位置に位置する状態を示す。
【図７】図７は、固定廃インクタンク８０と可動廃インクタンク１１０との外観を左上方から視た状態を示す斜視図であり、可動廃インクタンク１１０が装着位置に位置する状態を示す。
【図８】図８は、固定廃インクタンク８０と可動廃インクタンク１１０との外観を右上方から視た状態を示す斜視図であり、可動廃インクタンク１１０が装着位置に位置する状態を示す。
【図９】図９は、図８のＡ−Ａ断面を示す断面図である。
【図１０】図１０は、図８のＢ−Ｂ断面における固定廃インクタンク８０の断面図である。
【図１１】図１１は、図８のＢ−Ｂ断面における可動廃インクタンク１１０の断面図である。
【図１２】図１２は、図５のＣ−Ｃ断面における固定廃インクタンク８０と下カバー３０との模式的な部分断面図である。
【図１３】図１３は、図５のＤ−Ｄ断面における可動廃インクタンク１１０とガイド部１３１、１３２との模式的な部分断面図である。
【図１４】図１４は、図８のＢ−Ｂ断面において、可動廃インクタンク１１０が装着位置に位置する状態を示す断面図である。
【図１５】図１５は、変形例におけるプリンタ部１４の内部構成を示す平面図である。
【発明を実施するための形態】
【００３１】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、複合機１０が使用可能に設置された状態（図１の状態）を基準として上下方向７が定義され、開口２２が設けられている面を前面として前後方向８（第２方向及び第４方向の一例）が定義され、前方から複合機１０を視て左右方向９（第１方向及び第３方向の一例）が定義される。
【００３２】
［複合機１０の全体構成］
複合機１０（インクジェット記録装置の一例）は、プリント機能及びスキャン機能などの各種の機能を有している。複合機１０は、図１に示されるように、プリンタ筐体１１（筐体の一例）と、プリンタ筐体１１の上方に積層されたスキャナ筐体１２とによって、全体として概ね直方体の外形をなしている。また、複合機１０の前面には、各種操作ボタン及び液晶表示部を備える操作パネル１３が設けられている。
【００３３】
プリンタ筐体１１は、記録紙１９（図２参照、シートの一例）に画像を記録するプリンタ部１４の外壁を構成する。図２に示されるように、プリンタ部１４は、給送トレイ２０から搬送された記録紙１９に画像を記録し、画像が記録された記録紙１９を排出トレイ２１に排出する。給送トレイ２０及び排出トレイ２１は、プリンタ筐体１１の前面に形成された開口２２（図１参照）を通じてプリンタ筐体１１に対して着脱可能である。スキャナ筐体１２（図１参照）は、フラットベッドスキャナを有する画像読取部の外壁を構成する。画像読取部の詳細な構成は、本実施例においては省略される。
【００３４】
［プリンタ部１４］
図２に示されるように、給送ローラ２５は、給送トレイ２０の上方に位置する。給送アーム２６は、給送ローラ２５を回転自在に支持する。給送トレイ２０に支持された複数枚の記録紙１９の束の厚みに応じて、給送ローラ２５が上下方向７に移動し、給送ローラ２５の移動に伴って給送アーム２６が回動する。給送ローラ２５は、ギア列などの駆動伝達機構２７によってモータ（不図示）の回転が伝達されて回転する。給送ローラ２５が給送トレイ２０上の記録紙１９に接触しつつ回転することにより、積載された記録紙１９のうち最上位置の記録紙１９が搬送路２３に給送される。
【００３５】
搬送路２３は、給送トレイ２０の後端部から上方且つプリンタ部１４の前方へ曲がって前後方向８に沿って排出トレイ２１へ向かってほぼ直線状に延びている。搬送路２３は、プリンタ筐体１１（図１参照）の内部において、左右方向９のほぼ中央に位置する。搬送路２３には、搬送ローラ対５４及び排出ローラ対５５が設けられている。搬送ローラ対５４及び排出ローラ対５５は、搬送路２３において、記録紙１９を挟持して搬送向き１５に搬送する。給送トレイ２０から給送された記録紙１９は、搬送ローラ対５４及び排出ローラ対５５の少なくともいずれかに搬送されることによって、搬送路２３に沿って下方から上方へＵターンして記録部２４の下方へ到達し、記録部２４によって画像記録が行われた後、排出トレイ２１へ排出される。
【００３６】
記録部２４は、インクジェット方式で画像記録を行う。記録部２４は、記録ヘッド６５及びキャリッジ６７を有する。キャリッジ６７は、搬送路２３の上方に位置する。キャリッジ６７は、ベルト駆動機構（不図示）によってモータ（不図示）の駆動が伝達されることによって、左右方向９に沿って延びるガイドレール４３、４４（図４から図６参照）に沿って移動する。記録ヘッド６５は、キャリッジ６７に搭載されている。記録ヘッド６５の下方には、プラテン６６が位置する。プラテン６６は、キャリッジ６７が移動する領域（換言すれば、左右方向９における搬送路２３の全域）にわたって延設されており、搬送路２３を搬送される記録紙１９を下方から支持する。記録ヘッド６５は、プラテン６６に対向している。キャリッジ６７が左右方向９に移動するときに、記録ヘッド６５がプラテン６６に支持された記録紙１９に対して選択的にインクを吐出することにより、記録紙１９に画像が記録される。
【００３７】
図３に示されるように、記録ヘッド６５の下面には、複数のノズル６９が開口している。ノズル６９は、搬送向き１５（図２参照）に沿って複数が列をなして配置されている。複数のノズル６９の列は、例えば、シアン、マゼンタ、イエロー、及びブラックのインク色に対応して４列が形成されている。
【００３８】
図４から図６に示されるように、プリンタ筐体１１は、複合機１０の前面の一部及び下面を主として構成する下カバー３０を有する。複合機１０の側面及び後面を主として構成する上カバー２９（図１３参照）が、下カバー３０の上方に組み付けられてプリンタ筐体１１が構成される。
【００３９】
下カバー３０は、下面を構成する下壁３１と、給送トレイ２０が収容される空間３４を区画する右壁３２及び左壁３３と、を有する。右壁３２及び左壁３３は、下壁３１から上方へ向かってそれぞれ突出し、かつそれぞれ前後方向８に沿って平行に延出されている。右壁３２及び左壁３３によって、下壁３１における左右方向９の中央部分の空間３４が前後方向８に渡って区画されている。下カバー３０において、下壁３１より上方であって右壁３２より右方に空間３５が形成されている。空間３５には、メンテナンス機構７０（図６参照）、インクリフィルケース６１、固定廃インクタンク８０（第２廃液貯留部の一例）、及び可動廃インクタンク１１０（第１廃液貯留部の一例）が収容される。
【００４０】
［インクリフィルケース６１］
図４から図６に示されるように、プリンタ部１４は、インクリフィルケース６１を備えている。インクリフィルケース６１は、空間３５の前部に位置する。インクリフィルケース６１は、前面に開口を有する箱形状である。インクリフィルケース６１には、記録ヘッド６５に供給するための各色インクを貯留する複数のインクカートリッジ６２（図２参照、インク貯留部の一例）が装着される。各インクカートリッジ６２が装着されたインクリフィルケース６１から記録ヘッド６５には、インク色に対応した複数のチューブ６３が延出されており、当該チューブ６３を通じてインクカートリッジ６２から記録ヘッド６５へインクが供給される。下カバー３０の開口４８を通じて複合機１０の前面からインクカートリッジがインクリフィルケース６１へ挿入されたり取り出されたりする。
【００４１】
インクリフィルケース６１及びインクカートリッジ６２は、下カバー３０の空間３５において、キャリッジ６７より前方に位置している。換言すると、インクリフィルケース６１及びインクカートリッジ６２は、前後方向８においてキャリッジ６７と重ならない位置、すなわち異なる位置にある。また、インクリフィルケース６１及びインクカートリッジ６２の右端部は、左右方向９におけるキャリッジ６７の移動範囲の右端より右方、すなわち、ガイドレール４３、４４の右端より右方に位置している。すなわち、左右方向９におけるキャリッジ６７の移動範囲の外方に、インクリフィルケース６１及びインクカートリッジ６２の少なくとも一部が配置される。
【００４２】
［メンテナンス機構７０］
図６に示されるように、メンテナンス機構７０は、記録ヘッド６５の移動経路の下方であって、プラテン６６の右端よりも右方において、空間３５に位置する。なお、キャリッジ６７が左右方向９における移動範囲の右端に位置する状態において、メンテナンス機構７０は、キャリッジ６７の下方に位置する。図３に示されるように、メンテナンス機構７０は、記録ヘッド６５の各ノズル６９からインクを吸引し、吸引したインクを固定廃インクタンク８０に流出するものである。以下、メンテナンス機構７０によって各ノズル６９から排出されたインクが「廃インク」と称される。なお、図３では、メンテナンス機構７０と固定廃インクタンク８０とがチューブ７６、７７によって接続されていることを示すために、固定廃インクタンク８０を模式的に図示しているが、固定廃インクタンク８０と他の構成要素との位置関係を示すものではない。
【００４３】
図３に示されるように、メンテナンス機構７０は、可動部７１と、可動部７１を上下方向７へ移動させるカム機構７２と、チューブ７６、７７と、ポンプ７３と、を有する。可動部７１は、ゴム材料からなるキャップ７４、７５（インク受容部の一例）を有する。キャップ７４、７５は、キャリッジ６７が可動部７１の上方に位置するメンテナンス位置に位置するとき、記録ヘッド６５の下面と上下方向７に対向する。カム機構７２は、モータ（不図示）から駆動力が伝達されて動作し、可動部７１を上下方向７へ移動させる。キャップ７４、７５は、可動部７１が上方へ移動すると、記録ヘッド６５の下面に当接する。その際、キャップ７４がブラックのインクを吐出するノズル６９の列を覆い、キャップ７５がシアン、マゼンタ、イエローの各ノズル６９の列を覆う。キャップ７４、７５には、チューブ７６、７７の一端がそれぞれ接続されている。チューブ７６、７７は、可撓性を有する樹脂チューブである。
【００４４】
ポンプ７３は、例えば、モータ（不図示）から駆動力が伝達されて動作するロータリ式のチューブポンプである。ポンプ７３は、チューブ７６、７７を通じて記録ヘッド６５の下面とキャップ７４、７５との間の密閉空間に連通されている。キャップ７４、７５がノズル６９を覆った状態においてポンプ７３が駆動されると、キャップ７４、７５内が負圧となり、各ノズル６９から排出されたインクがキャップ７４、７５に受容される。キャップ７４、７５に受容された廃インクは、ポンプ７３の動作によって、チューブ７６、７７を通じて固定廃インクタンク８０に流れ込む。チューブ７６の内部空間は、大気が流通する流路であり、チューブ７７の内部空間は、廃インクが流通する流路である。
【００４５】
［ワイパ４５］
図６に示されるように、メンテナンス機構７０は、ワイパ４５を備えている。ワイパ４５は、前後方向８において、記録ヘッド６５のノズル６９（図３参照）と同じ位置に位置しており、左右方向９において、ノズル６９の移動範囲内であって、キャップ７４、７５より左方に位置している。ワイパ４５は、上下方向７に延び前後方向８に長い形状である。ワイパ４５は、例えば、ゴムにより形成されている。
【００４６】
ワイパ４５は、上下方向７に移動可能である。キャリッジ６７が図４及び図５に示されるメンテナンス位置に位置するときに、ワイパ４５の上端部は、上下方向７においてノズル６９と重なる位置に位置する。そして、キャリッジ６７が左方へ移動することによって、ワイパ４５の上端部がノズル６９をワイピングする。キャリッジ６７がメンテナンス位置から左方へ移動する過程において、ワイパ４５は、上端が基端に対して左方にしなった状態でノズル６９をワイピングする。そのため、キャリッジ６７がワイパ４５の上方を通過した後、ワイパ４５は、しなりが戻ることにより上端が右方に移動する。これにより、ワイパ４５に付着したインクが右方へ飛散する。右方へ飛散したインクは、後述する可動廃インクタンク１１０の開口１１９を通じてインク保持体１１３によって受け止められる。可動廃インクタンク１１０の構成については後述される。
【００４７】
［固定廃インクタンク８０］
図４から図６に示されるように、固定廃インクタンク８０は、下カバー３０の空間３５における前後方向８の中央部に位置する。固定廃インクタンク８０は、キャリッジ６７より前方であって、インクリフィルケース６１及びインクカートリッジ６２より後方に位置している。また、固定廃インクタンク８０の左端部は、左右方向９におけるキャリッジ６７の移動範囲と重なる位置、すなわち、ガイドレール４３、４４の右端より左方に位置している。固定廃インクタンク８０の右端部は、左右方向９におけるキャリッジ６７の移動範囲の右端より右方、すなわち、ガイドレール４３、４４の右端より右方に位置している。固定廃インクタンク８０の後方にメンテナンス機構７０が位置する。メンテナンス機構７０のチューブ７６、７７が前方に延出されて固定廃インクタンク８０に接続されている。
【００４８】
固定廃インクタンク８０は、下カバー３０に固定されている。図１２に示されるように、固定廃インクタンク８０は、例えば、ネジ５７により下カバー３０に固定されている。具体的には、下カバー３０は、前後方向８及び左右方向９において、固定廃インクタンク８０が配置されている領域内の位置に、上下方向７に貫通する複数の貫通孔５８を有している。また、固定廃インクタンク８０は、下壁８５Ａにおける貫通孔５８に対応する位置に、雌ネジが形成された、下壁８５Ａの下面から上方に凹むネジ穴５９を有している。下カバー３０の下壁３１の下方から貫通孔５８を通じて、ネジ穴５９にネジ５７が挿入されて締付けされることにより、固定廃インクタンク８０が下カバー３０に固定される。固定廃インクタンク８０は、ネジによる固定以外の方法によって下カバー３０に固定されていてもよい。例えば下カバー３０の下壁３１と固定廃インクタンク８０とに、互いに係合可能な係合部が備えられており、これらの係合部が互いに係合されることによって固定廃インクタンク８０が下カバー３０に固定されてもよい。また、下カバー３０と固定廃インクタンク８０とが一体に形成されていてもよい。
【００４９】
図７及び図８に示されるように、固定廃インクタンク８０は、固定廃インクタンクケース８１（貯留筐体の一例）及びインク保持体８３（第２保持体の一例）を有する。
【００５０】
図７から図１０に示されるように、固定廃インクタンクケース８１は、中空の箱形状であり、上方に開口８６を有する。開口８６は、平面視においてＬ字形状であり、固定廃インクタンクケース８１の上端によって区画されている。
【００５１】
固定廃インクタンクケース８１は、左右方向９に延びて前後方向８が薄い薄平な直方体形状の左部８７と、左部８７の右端に連続して前後方向８に延びて左右方向９が薄い薄平な直方体形状の右部８８とから構成される。左部８７の内部空間は、上下方向７に延びており、上部の右端において右部８８の内部空間と連続している。右部８８の内部空間は、前後方向８に延びており、前部の左端において左部８７の内部空間と連続している。左部８７の内部空間の下端は、右部８８の内部空間の下端より下方に位置している。右部８８の内部空間の後端は、左部８７の内部空間の後端より後方に位置している。
【００５２】
具体的には、左部８７の内部空間は、前壁９１の左半分と、左壁９２と、後壁９３と、前中壁９４と、下壁８５Ａとにより区画されている。
【００５３】
図７及び図８に示されるように、固定廃インクタンクケース８１の前壁９１の左半分は、左部８７の前端を構成する。前壁９１の左半分は、上下方向７及び左右方向９に沿って拡がる概ね矩形の平板形状である。
【００５４】
固定廃インクタンクケース８１の後壁９３は、左部８７の後端を構成する。図示されていないが、後壁９３は、上下方向７及び左右方向９に沿って拡がる概ね矩形の平板形状である。
【００５５】
図７及び図９に示されるように、固定廃インクタンクケース８１の左壁９２は、左部８７の左端を構成する。左壁９２は、上下方向７及び前後方向８に沿って拡がる概ね矩形の平板形状である。
【００５６】
図９及び図１０に示されるように、固定廃インクタンクケース８１の前中壁９４は、左部８７の右端を構成する。前中壁９４は、上下方向７及び前後方向８に沿って拡がる概ね矩形の平板形状である。前中壁９４の上端は、前壁９１の左半分の上端及び後壁９３の上端より下方に位置している。これにより、左部８７の右端の上部において、左部８７の内部空間が右部８８の内部空間と連通されている。
【００５７】
左部８７の下端を構成する下壁８５Ａは、下壁８５の一部であり、前後方向８及び左右方向９に沿って拡がる概ね矩形の平板形状である。
【００５８】
また、図９及び図１０に示されるように、右部８８の内部空間は、後中壁９５と、前壁９１の右半分と、後壁９７と、右壁９８と、下壁８５Ｂとにより区画されている。
【００５９】
固定廃インクタンクケース８１の後中壁９５は、右部８８の左端を構成する。後中壁９５は、上下方向７及び前後方向８に沿って拡がる概ね矩形の平板形状である。
【００６０】
固定廃インクタンクケース８１の後壁９７は、右部８８の後端を構成する。後壁９７は、上下方向７及び左右方向９に沿って拡がる概ね矩形の平板形状である。
【００６１】
図７及び図８に示されるように、固定廃インクタンクケース８１の前壁９１の右半分は、右部８８の前端を構成する。左右方向９における前壁９１の中央と、後中壁９５の前端との間は、前後方向８に間隔が空いている。これにより、右部８８の内部空間が左部８７の内部空間と連通されている。
【００６２】
図８に示されるように、固定廃インクタンクケース８１の右壁９８は、右部８８の右端を構成する。右壁９８は、上下方向７及び前後方向８に沿って拡がる概ね矩形の平板形状である。
【００６３】
図９及び図１０に示されるように、右部８８の下端を構成する下壁８５Ｂは、下壁８５の一部であり、前後方向８及び左右方向９に沿って拡がる概ね矩形の平板形状である。下壁８５Ｂは、上下方向７において、前中壁９４の上端と同一の位置に位置している。
【００６４】
また、下壁８５Ｂの後方には、下壁８５Ｂの後端と、後壁９７の前面と、後中壁９５の右面と、右壁９８の左面とによって区画された開口１００が形成されている。
【００６５】
図７から図１０に示されるように、固定廃インクタンクケース８１の内部空間には、インク保持体８３が設けられている。インク保持体８３は、例えば、フェルト成形品などの繊維材料からなる。固定廃インクタンクケース８１の内部空間に流入した廃インクは、繊維材料で形成されたインク保持体８３によって吸収されて保持される。
【００６６】
インク保持体８３は、概ね直方体形状の複数の部分（本実施形態では５つの部分）からなり、固定廃インクタンクケース８１の内部空間に充填されて配置されている。
【００６７】
図１０に示されるように、インク保持体８３は、右部８８の内部空間に位置する部分の後端部において、下面から下方へ向かって突出する突出部１０７を有している。突出部１０７は、左右方向９に延びる薄平な直方体形状である。突出部１０７は、固定廃インクタンクケース８１の開口１００から固定廃インクタンクケース８１の外部へ突出している。すなわち、突出部１０７の下端１０７Ｂは、固定廃インクタンクケース８１の下壁８５Ｂよりも下方に延びており、固定廃インクタンクケース８１の外部へ露出されている。
【００６８】
図７及び図９に示されるように、固定廃インクタンクケース８１には、チューブ７６、７７がそれぞれ接続されるポート部１０１、１０２が設けられている。ポート部１０１、１０２は、上下方向７に離間されて配置されている。下方のポート部１０２は、左壁９２から左方へ突出した円管形状である。ポート部１０２の内部空間は左壁９２を貫通している。ポート部１０２の内部空間は、固定廃インクタンクケース８１の内部空間と外部と連通する。ポート部１０２には、チューブ７７が接続される。
【００６９】
チューブ７７及びポート部１０２を通じて固定廃インクタンク８０の内部空間に廃インクが流入されると、廃インクは、固定廃インクタンク８０の内部空間において、まず、左部８７におけるポート部１０２より、インク保持体８３に保持・吸収されながら、下方に充満する。その後、廃インクは、インク保持体８３を伝わって左部８７におけるポート部１０２より上方に至り、右部８８に充填されたインク保持体８３に到達する。そして、廃インクは、インク保持体８３を伝わって右部８８の内部空間の後方へ移動し、さらにインク保持体８３の突出部１０７に到達し、下方へ伝わる。
【００７０】
図７に示されるように、左壁９２の左面には、下方へ凹む凹部１０５が形成されている。具体的には、図９に示されるように、左壁９２は、上下方向７の中央部９２Ａにおいて、中央部９２Ａから直上に延びる外壁９２Ｂと、右方に屈曲した後、上方へ延びる内壁９２Ｃとに分岐している。凹部１０５は、外壁９２Ｂと内壁９２Ｃと前壁９１と後壁９３とによって区画されている。
【００７１】
上方のポート部１０１は、左壁９２における外壁９２Ｂから左方へ突出した円管形状であり、ポート部１０１の内部空間は外壁９２Ｂを貫通している。ポート部１０１の内部空間は、凹部１０５の内部空間と外部とを連通する。ポート部１０１には、チューブ７６が接続される。
【００７２】
［可動廃インクタンク１１０］
図４及び図５に示されるように、可動廃インクタンク１１０が装着位置に位置する状態において、可動廃インクタンク１１０は、下カバー３０の空間３５における前後方向８の中央より後方に位置する。可動廃インクタンク１１０は、インクリフィルケース６１、インクカートリッジ６２及び固定廃インクタンク８０より後方に位置している。また、可動廃インクタンク１１０は、左右方向９におけるキャリッジ６７の移動範囲の右端より右方、すなわち、ガイドレール４３、４４の右端より右方であって、左右方向９においてインクリフィルケース６１及びインクカートリッジ６２と重なる位置に位置している。すなわち、左右方向９におけるキャリッジ６７の移動範囲の外方に、可動廃インクタンク１１０は位置している。換言すると、左右方向９におけるインクリフィルケース６１及びインクカートリッジ６２の存在領域と重なる領域であって、且つ、前後方向８におけるキャリッジ６７の存在領域と重なる領域に、可動廃インクタンク１１０が配置されている。また、可動廃インクタンク１１０は、上下方向７において給送トレイ２０と重なる位置にある。
【００７３】
図７及び図８に示されるように、可動廃インクタンク１１０は、可動廃インクタンクケース１１１及びインク保持体１１３（第１保持体の一例）を有する。
【００７４】
可動廃インクタンクケース１１１は、中空の箱形状であり、上方に開口１１７を有する。可動廃インクタンクケース１１１の外形は前後方向８に延びて左右方向９に薄い薄平な概ね直方体である。開口１１７は、可動廃インクタンクケース１１１の上端によって区画されている。可動廃インクタンクケース１１１は、前壁１４１と、後壁１４２と、左壁１４３と、右壁１４４と、下壁１１６（図１１参照）とを有し、これらの壁によって囲まれる内部空間にインク保持体１１３が充填されている。後壁１４２の上端、並びに後壁１４２の上端と上下方向７に同一の位置にある左壁１４３の上端、及び右壁１４４の上端は、可動廃インクタンク１１０の上端１１５を構成し、上端１１５は、給送トレイ２０の上端より上方に位置している。
【００７５】
図１１に示されるように、可動廃インクタンクケース１１１の前端の下部は、前端の上部より前方に突出している。可動廃インクタンク１１０が装着位置に位置する状態において、可動廃インクタンクケース１１１の前端の下部は、固定廃インクタンク８０の固定廃インクタンクケース８１の右部８８の下壁８５Ｂの下方に位置する。
【００７６】
右壁１４４は、上下方向７及び前後方向８に沿って拡がる概ね矩形の平板形状である。図示されていないが、右壁１４４の前端の下部は、右壁１４４の前端の上部１４４Ｂ（図８参照）より前方に突出している。
【００７７】
図１１に示されるように、左壁１４３は、上下方向７及び前後方向８に沿って拡がる概ね矩形の平板形状である。左壁１４３の前端の下部１４３Ａは、左壁１４３の前端の上部１４３Ｂより前方に突出している。
【００７８】
図７に示されるように、左壁１４３は、前後方向８の中央部において、上端が下方へ凹む凹部１４５が形成されており凹部１４５によって左右方向９に貫通する開口１１９が形成されている。これにより、ワイパ４５が記録ヘッド６５のノズル６９をワイピングすることによって、ワイパ４５に付着したインクが右方に飛散したときに、飛散したインク滴がインク保持体１１３に付着する。そして、インク滴はインク保持体１１３によって保持される。
【００７９】
左壁１４３と右壁１４４とは、凹部１４５を除いて同一の形状を有しており、上下方向７及び前後方向８において同一の位置に位置している。
【００８０】
図１１に示されるように、前壁１４１は、上下方向７及び左右方向９に沿って拡がる概ね矩形の平板形状である。前壁１４１は、左壁１４３の前端の下部１４３Ａと、右壁１４４の前端の下部（不図示）とに架設されている。前壁１４１の上端は、左壁１４３の前端の下部１４３Ａの上端より下方に位置している。
【００８１】
後壁１４２は、上下方向７及び左右方向９に沿って拡がる概ね矩形の平板形状である。後壁１４２は、左壁１４３の後端と、右壁１４４の後端（図８参照）とに架設されている。
【００８２】
可動廃インクタンクケース１１１の内部空間は、前壁１４１と、後壁１４２と、左壁１４３と、右壁１４４と、下壁１１６とによって区画されている。
【００８３】
図１１に示されるように、可動廃インクタンクケース１１１には、下壁１１６の上面から上方へ突出し、かつ左右方向９に沿って延びる２本のリブ１１８が形成されている。各リブ１１８の上下方向７の長さは、可動廃インクタンクケース１１１の上下方向７の長さの約３分の１である。各リブ１１８の左端及び右端は、左壁１４３の右面と右壁１４４の左面とにそれぞれ連続している。各リブ１１８、前壁１４１及び後壁１４２は、前後方向８に間隔を空けて位置している。
【００８４】
図７、図８及び図１１に示されるように、可動廃インクタンクケース１１１の内部空間には、インク保持体１１３が設けられている。インク保持体１１３は、例えば、フェルト成形品などの繊維材料からなる。可動廃インクタンクケース１１１の内部空間に流入した廃インクは、繊維材料で形成されたインク保持体１１３によって吸収されて保持される。
【００８５】
インク保持体１１３は、概ね直方体形状であり、図８に示されるように、複数の部分（本実施形態においては２つの部分）から構成されている。図１１に示されるように、インク保持体１１３は、前端において上下方向７の中央部から下方にかけて前方へ突出した突部１２１を有している。突部１２１は、突部１２１の上面１２１Ａにおける前端部に、上面１２１Ａから上方へ突出する山部１２２を有している。突部１２１の前面の上部には、後方へ向かうにつれて上方へ向かうように上下方向７に対して傾斜した前傾斜面１２３が形成されている。前傾斜面１２３の上端部は、山部１２２の前面である。前傾斜面１２３は、後方へ向かうほど緩やかに傾斜している。
【００８６】
突部１２１の上面１２１Ａにおいて、山部１２２より後方には、後方へ向かうにつれて上方へ向かうように上下方向７に対して傾斜する当接面１２４が形成されている。当接面１２４は、後方へ向かうほど急角度に傾斜している。
【００８７】
［ガイド部１３１、１３２］
図１３に示されるように、下カバー３０及び上カバー２９は、それぞれ一対のガイド部１３１、１３２を有している。ガイド部１３１は、下カバー３０の空間３５（図４から図６参照）における前後方向８の中央より後方であって、装着位置における可動廃インクタンク１１０の下方に位置している。ガイド部１３１は、下カバー３０の下壁３１の上面３１Ａから上方へ突出して、前後方向８に延びている。一対のガイド部１３１は、左右方向９に間隔を開けて平行に位置している。一対のガイド部１３１における互いに対向する内面１３１Ａの間隔は、可動廃インクタンク１１０の左右方向９の長さに対応している。ガイド部１３１は、左右方向９における断面が矩形状である。
【００８８】
一対のガイド部１３２は、一対のガイド部１３１の上方において、上カバー２９の下面２９Ａから下方へ突出している。一対のガイド部１３２は、一対のガイド部１３１と同一の形状を有しており、前後方向８及び左右方向９において一対のガイド部１３１と同一の位置に配置されている。一対のガイド部１３２における互いに対向する内面１３２Ａの間隔は、可動廃インクタンク１１０の左右方向９の長さに対応している。
【００８９】
可動廃インクタンク１１０は、装着位置に位置する状態において、左壁１４３の左面と、右壁１４４の右面の各下端部がガイド部１３１の内面１３１Ａにそれぞれ当接し、左壁１４３の左面と、右壁１４４の右面の各上端部がガイド部１３２の内面１３２Ａにそれぞれ当接する。可動廃インクタンク１１０は、左壁１４３の左面と、右壁１４４の右面の各下端部がガイド部１３１の内面１３１Ａに対して摺動し、左壁１４３の左面と、右壁１４４の右面の各上端部がガイド部１３２の内面１３２Ａに対して摺動することにより、装着位置を前端として、前後方向８に移動可能である。
【００９０】
図１０に示されるように、固定廃インクタンク８０において、後中壁９５は、前中壁９４よりやや右方に位置している。
【００９１】
また、図８に示されるように、固定廃インクタンク８０において、右壁９８における上下方向７の中央より上方の上部９８Ａは、右壁９８における上下方向７の中央より下方の下部９８Ｂより左方に位置している。これにより、右壁９８における上下方向７の中央には、前後方向８及び左右方向９に沿って拡がる水平部９８Ｃが形成されている。右壁９８はの下端部は、後方に延出された延出部９８Ｄを有している。
【００９２】
図８に示されるように、左壁１４３の右面と右壁１４４の左面との間の長さは、固定廃インクタンク８０の固定廃インクタンクケース８１の後中壁９５の左面と右壁９８の上部９８Ａの右面との間の長さに対応している。また、左壁１４３の左面と右壁１４４の右面との間の長さは、固定廃インクタンク８０の固定廃インクタンクケース８１の前中壁９４の右面（図９参照）と右壁９８の下部９８Ｂの左面との間の長さに対応している。
【００９３】
図７及び図８に示されるように、可動廃インクタンク１１０が装着位置に位置する状態において、可動廃インクタンク１１０の左壁１４３と右壁１４４との間に、固定廃インクタンク８０の右部８８の前端部が位置する。また、この状態において、可動廃インクタンク１１０の前端部における下端部が、固定廃インクタンク８０の右壁９８の下部９８Ｂと前中壁９４との間に位置する。この状態で、可動廃インクタンク１１０の左壁１４３の前端は、固定廃インクタンク８０の左部８７の後壁９３の後面に当接し、可動廃インクタンク１１０の右壁１４４の前端は、固定廃インクタンク８０の右壁９８の水平部９８Ｃの後端に当接する。これにより、可動廃インクタンク１１０が装着位置より前方に移動することが規制される。
【００９４】
また、可動廃インクタンク１１０が装着位置に位置する状態において、可動廃インクタンク１１０が備える図示しない係合部と、下カバー３０が備える図示しない係合部とが互いに係合する。これにより、可動廃インクタンク１１０が装着位置に位置する状態において、意図せずに後方へ移動することが規制される。係合部は、可動廃インクタンク１１０と固定廃インクタンク８０とが係合するように設けられていてもよい。また、可動廃インクタンク１１０は、プリンタ筐体１１に対してネジで固定されてもよい。
【００９５】
図１４に示されるように、可動廃インクタンク１１０が装着位置に位置する状態において、ポート部１０２を通じて固定廃インクタンク８０の内部空間に廃インクが流入される。廃インクは、固定廃インクタンク８０の内部空間において、まず、左部８７におけるポート部１０２より、インク保持体８３に保持・吸収されながら、下方に充満する。その後、廃インクは、インク保持体８３を伝わって左部８７におけるポート部１０２より上方に至り、固定廃インクタンク８０の右部８８の内部空間に充填されたインク保持体８３に到達する。そして、廃インクは、インク保持体８３を伝わって右部８８の内部空間の後方へ移動し、突出部１０７まで到達し、突出部１０７の下端まで下降する。そして、廃インクは、当接面１２４を介して、可動廃インクタンク１１０のインク保持体１１３へ伝わり、保持・吸収される。その後、さらに廃インクは、可動廃インクタンク１１０内において、インク保持体１１３の前部から後部に向かって伝わる。これにより、廃インクが可動廃インクタンク１１０のインク保持体１１３によって吸収されて保持される。
【００９６】
可動廃インクタンク１１０が図６に示される非装着位置にある状態において、図１０に示されるように、固定廃インクタンク８０のインク保持体８３における突出部１０７は、下方へ延びている。この状態において、可動廃インクタンク１１０のインク保持体１１３における突部１２１の上面１２１Ａは、固定廃インクタンク８０のインク保持体８３における突出部１０７の後面１０７Ａの下端１０７Ｂより上方に位置している。
【００９７】
そのため、可動廃インクタンク１１０が装着位置に位置する状態において、突出部１０７は、弾性変形して、突出部１０７の上下方向７の中央部から下が前方へ湾曲する。そして、突出部１０７の後面１０７Ａは、当接面１２４の傾斜に沿って当接する。すなわち、インク保持体８３の突出部１０７は、インク保持体１１３の当接面１２４と上下方向７に当接する。このとき、突出部１０７が上に位置し、当接面１２４が下に位置する状態となる。
【００９８】
［可動廃インクタンク１１０の着脱］
図５及び図６に示されるように、プリンタ筐体１１は、後端の右端部に前後方向８に貫通する開口４７を有している。可動廃インクタンク１１０が装着位置に位置する状態において、開口４７は、可動廃インクタンク１１０の後壁１４２によって閉塞される。
【００９９】
可動廃インクタンク１１０は、交換可能である。可動廃インクタンク１１０を着脱する際には、ユーザは、装着位置に位置する可動廃インクタンク１１０をプリンタ筐体１１の開口４７通して後方へ引き出す。可動廃インクタンク１１０を装着する際には、ユーザは、可動廃インクタンク１１０をプリンタ筐体１１の開口４７通して装着位置に向けて押し込む。
【０１００】
［本実施形態の作用効果］
以上のように、インクリフィルケース６１及びインクカートリッジ６２があることによって左右方向９における複合機１０の大型化に影響しない位置に、可動廃インクタンク１１０が配置される。そのため、可動廃インクタンク１１０が他の部品と干渉することなく、スペース効率よく配置される。その結果、複合機１０が左右方向９に大型化することが抑制される。さらに、キャリッジ６７の左右方向９における移動範囲は、画像記録可能な最大サイズの記録紙幅に合わせて設けられるものである。例えば、インクリフィルケース６１及びインクカートリッジ６２が左右方向９に大きくなった場合に、画像記録可能な最大サイズの記録紙幅が変わらなければ、インクリフィルケース６１及びインクカートリッジ６２に合わせて可動廃インクタンク１１０を左右方向９に大きくすることができる。
【０１０１】
また、インクリフィルケース６１及びインクカートリッジ６２が給送トレイ２０の上方に位置すると、インクが給送トレイ２０内に漏れたり、複合機１０が備える電子基板に付着するおそれがあるが、インクリフィルケース６１及びインクカートリッジ６２が給送トレイ２０の右方に位置する空間３５に配置されているため、そのようなおそれが抑制される。
【０１０２】
可動廃インクタンク１１０の高さが給送トレイ２０の上端より上まであるので、可動廃インクタンク１１０により多くの廃インクが貯留される。
【０１０３】
可動廃インクタンク１１０は、プリンタ筐体１１に対して着脱可能であるので、可動廃インクタンク１１０を交換することが可能となる。また、可動廃インクタンク１１０は、着脱に際して他の部品と干渉しない着脱しやすい位置にスペース効率よく配置される。
【０１０４】
プリンタ筐体１１は、可動廃インクタンク１１０を前後方向８へ移動可能に案内するガイド部１３１、１３２を有するので、障害物を避けて可動廃インクタンク１１０が容易に移動される。
【０１０５】
可動廃インクタンク１１０に加えて固定廃インクタンク８０を備えるので、より多くの廃インクが貯留される。
【０１０６】
可動廃インクタンク１１０はインク保持体１１３を有しており、固定廃インクタンク８０は、インク保持体８３を有している。インク保持体１１３とインク保持体８３とは、インク保持体８３が上方に位置し、インク保持体１１３が下方に位置する状態で上下方向７に当接している。そのため、固定廃インクタンク８０においてインク保持体８３に保持されたインクは、突出部１０７の後面１０７Ａとインク保持体１１３の当接面１２４とを通じてインク保持体８３からインク保持体１１３へ容易に移動する。また、インクがより確実に固定廃インクタンク８０から可動廃インクタンク１１０へ移動する。これにより、インクが可動廃インクタンク１１０の外へ漏れることが抑制される。
【０１０７】
プリンタ筐体１１に固定されている固定廃インクタンク８０に、チューブ７６、７７が接続されるので、可動廃インクタンク１１０の構成が簡単化される。
【０１０８】
可動廃インクタンク１１０は、ワイパ４５に対して、記録ヘッド６５がワイパ４５と当接して移動する向きの上流に位置する。可動廃インクタンクケース１１１は、ワイパ４５が位置する方に配置された開口１１９を有している。そのため、ワイパ４５からインクが飛散したときに、可動廃インクタンク１１０のインク保持体１１３が飛散したインクを受ける。
【０１０９】
［変形例］
前述の実施形態では、記録ヘッド６５がキャリッジ６７に搭載され、キャリッジ６７が左右方向９に移動された。この構成に代えて、図１５に示されるように、左右方向９における記録紙１９の幅より長い左右方向９の長さを有する記録ヘッド１５０が採用されてもよい。この構成において、インクリフィルケース６１及びインクカートリッジ６２は、前後方向８において記録ヘッド１５０と重ならない位置にあり、且つ一部が記録ヘッド１５０より右方に位置している。可動廃インクタンク１１０は、左右方向９においてインクリフィルケース６１及びインクカートリッジ６２と重なる位置にあり、且つ記録ヘッド１５０より右方に位置する。
【０１１０】
前述の実施形態では、インク貯留部の一例として、インクカートリッジ６２が採用され、インクカートリッジ６２を装着可能なインクリフィルケース６１が複合機１０に備えられていた。しかしながら、下カバー３０におけるインクリフィルケース６１の配置位置に、インクリフィルケース６１に代えて、インクを補充可能に内部が空洞に形成されたインクタンクが備えられていてもよい。
【０１１１】
また、前述の実施形態では、インクリフィルケース６１及びインクカートリッジ６２が下カバー３０における右方の空間３５にのみ配置されていたが、インクリフィルケース６１及びインクカートリッジ６２は、下カバー３０における左壁３３より左方の空間と、空間３５との両方に分割されて配置されていてもよい。この構成においては、可動廃インクタンク１１０も、ガイドレール４３、４４の右端より右方と、ガイドレール４３、４４の左端より左方との両方に配置されていてもよい。
【０１１２】
また、固定廃インクタンク８０が複合機１０に搭載されていない構成が採用されてもよい。この構成においては、可動廃インクタンク１１０が装着位置に位置されることにより、チューブ７６、７７が可動廃インクタンク１１０に直接接続される。
【０１１３】
また、可動廃インクタンク１１０が着脱可能な方向は、前後方向８でなくてもよく、左右方向９と交差する方向であれば、いずれの方向であってもよい。更に、可動廃インクタンク１１０は、プリンタ筐体１１に着脱可能でなくてもよく、可動廃インクタンク１１０に代えて、プリンタ筐体１１に固定された廃インクタンクが採用されてもよい。
【０１１４】
また、前述の実施形態では、固定廃インクタンク８０は、前後方向８においてキャリッジ６７と、インクリフィルケース６１及びインクカートリッジ６２との間であって、左右方向９においてキャリッジ６７の移動範囲と重なる位置に配置されていたが、別の位置に配置されていてもよい。例えば、固定廃インクタンク８０は、左右方向９においてキャリッジ６７の移動範囲より外方であって、可動廃インクタンク１１０と上下方向７に重なる位置に配置されていてもよい。
【０１１５】
また、前述の実施形態では、固定廃インクタンク８０のインク保持体８３と可動廃インクタンク１１０のインク保持体１１３とが接触することで、固定廃インクタンク８０から可動廃インクタンク１１０に廃インクを伝達していた。しかしながら、必ずしも固定廃インクタンク８０及び可動廃インクタンク１１０の両方にインク保持体が設けられる必要はない。例えば、固定廃インクタンク８０及び可動廃インクタンク１１０のいずれか一方又は両方には、インク保持体が設けられず、固定廃インクタンク８０又は可動廃インクタンク１１０の内部空間にインクが貯留される構成が採用されてもよい。
【符号の説明】
【０１１６】
７・・・上下方向
８・・・第２方向、第４方向（前後方向）
９・・・第１方向、第３方向（左右方向）
１０・・・複合機（インクジェット記録装置）
１１・・・プリンタ筐体（筐体）
１９・・・記録紙（シート）
２０・・・給送トレイ
４５・・・ワイパ
６１・・・インクリフィルケース
６２・・・インクカートリッジ（インク貯留部）
６５・・・記録ヘッド
６７・・・キャリッジ
６９・・・ノズル
７４、７５・・・キャップ（インク受容部）
８０・・・固定廃インクタンク（第２廃液貯留部）
８３・・・インク保持体（第２保持体）
１１０・・・可動廃インクタンク（第１廃液貯留部）
１１１・・・可動廃インクタンクケース（貯留筐体）
１１３・・・インク保持体（第１保持体）
１１９・・・開口
１３１、１３２・・・ガイド部
１５０・・・記録ヘッド
【図１】
2017177761.tif 000003
【図２】
2017177761.tif 000004
【図３】
2017177761.tif 000005
【図４】
2017177761.tif 000006
【図５】
2017177761.tif 000007
【図６】
2017177761.tif 000008
【図７】
2017177761.tif 000009
【図８】
2017177761.tif 000010
【図９】
2017177761.tif 000011
【図１０】
2017177761.tif 000012
【図１１】
2017177761.tif 000013
【図１２】
2017177761.tif 000014
【図１３】
2017177761.tif 000015
【図１４】
2017177761.tif 000016
【図１５】
2017177761.tif 000017